(57)【要約】【課題】メディアゲートウェイコントロール装置への処理負荷分散配布方法に関し、スケーラビリティのあるシステム構築を可能にするとともに、メディアゲートウェイコントロール装置に効率よく処理負荷を振り分ける。【解決手段】ＳＩＰ呼制御装置（ＳＣＣ）を経由して中継された呼処理信号によりＩＰ電話網及び公衆交換電話網（ＰＳＴＮ）を介する音声通話機能を実現する各メディアゲートウェイコントロール装置（ＭＧＣ１，ＭＧＣ２）は、中央制御装置又は回線の使用率が所定の使用率レベルの状態となったときに、該使用率レベルをＳＮＭＰによりメディアゲートウェイコントロールプロキシ装置（ＭＧＣｐｒｏｘｙ）に通知する。メディアゲートウェイコントロールプロキシ装置（ＭＧＣｐｒｏｘｙ）は、通知された使用率レベルに基づいて、各メディアゲートウェイコントロール装置（ＭＧＣ１，ＭＧＣ２）に呼処理負荷を分散配布する。【選択図】      図１
2007013612.tif 000002
【特許請求の範囲】
【請求項１】
ＩＰ電話端末装置を収容するＳＩＰ呼制御装置を経由して中継された呼処理信号により、シグナルゲートウェイコントロール装置及びメディアゲートウェイと連携してＩＰ電話網及び公衆交換電話網を介する音声通話機能を実現する各メディアゲートウェイコントロール装置において、中央制御装置の使用率が予め定めた使用率レベルの状態となったときに、該使用率レベルの状態を、メディアゲートウェイコントロールプロキシ装置にシンプルネットワークマネジメントプロトコルによる通知を行うステップと、
前記各メディアゲートウェイコントロール装置を集約するメディアゲートウェイコントロールプロキシ装置において、各メディアゲートウェイコントロール装置からの前記使用率レベルの状態の通知により、該使用率レベルに基づいて、各メディアゲートウェイコントロール装置に対して、呼処理負荷の分散配布を行うステップと、
を含むことを特徴とするメディアゲートウェイコントロール装置への処理負荷分散配布方法。
【請求項２】
ＩＰ電話端末装置を収容するＳＩＰ呼制御装置を経由して中継された呼処理信号により、シグナルゲートウェイコントロール装置及びメディアゲートウェイと連携してＩＰ電話網及び公衆交換電話網を介する音声通話機能を実現する各メディアゲートウェイコントロール装置において、配下のメディアゲートウェイの回線使用率が予め定めた使用率レベルの状態となったときに、該使用率レベルの状態を、メディアゲートウェイコントロールプロキシ装置にシンプルネットワークマネジメントプロトコルによる通知を行うステップと、
前記各メディアゲートウェイコントロール装置を集約するメディアゲートウェイコントロールプロキシ装置において、各メディアゲートウェイコントロール装置からの前記使用率レベルの状態の通知により、該使用率レベルに基づいて、各メディアゲートウェイコントロール装置に対して、呼処理負荷の分散配布を行うステップと、
を含むことを特徴とするメディアゲートウェイコントロール装置への処理負荷分散配布方法。
【請求項３】
前記各メディアゲートウェイコントロール装置とシグナルゲートウェイコントロール装置とで一定周期でヘルスチェックを行うステップと、
前記ヘルスチェックによりメディアゲートウェイコントロール装置の不良が検出された場合に、シグナルゲートウェイコントロール装置からメディアゲートウェイコントロールプロキシ装置に、シンプルネットワークマネジメントプロトコルにより、ヘルスチェック不良となったメディアゲートウェイコントロール装置を通知するステップと、
前記通知により、メディアゲートウェイコントロールプロキシ装置において、ヘルスチェック不良となったメディアゲートウェイコントロール装置に対して、処理負荷の配布を行うことなく、他のメディアゲートウェイコントロール装置に対して処理負荷の分散配布を行うステップと、
を含むことを特徴とする請求項１又は２に記載のメディアゲートウェイコントロール装置への処理負荷分散配布方法。
【発明の詳細な説明】
【技術分野】
【０００１】
本発明は、メディアゲートウェイコントロール装置への処理負荷分散配布方法に関する。現在、電話通信における通信経路が既存の電話交換機により呼毎に形成される公衆交換電話網（ＰＳＴＮ：Public Switched Telephone Networks）から、インターネットプロトコル（ＩＰ）をベースとしたプロトコルによって構築されるＩＰ電話網へと移行している段階にあるが、既存の公衆交換電話網（ＰＳＴＮ）とＩＰ電話網との相互接続を可能にするために、シグナリングのフォーマット変換制御を担うシグナルゲートウェイコントロール（ＳＧＣ：Signal Gateway Control）装置と、音声伝送のメディア変換制御を担う管理サーバであるメディアゲートウェイコントロール（ＭＧＣ：Media Gateway Control）装置と、が設けられている。
【０００２】
シグナルゲートウェイコントロール装置（ＳＧＣ）は、呼設定制御の信号送受手順を実現するために、既存の電話交換機とのシグナリング情報のやり取りを行う。各シグナルゲートウェイコントロール装置（ＳＧＣ）には、シグナリング情報のやり取りに必要な位置情報を示すポイントコードが付与されている。使用可能なポイントコードは数に限りがあり、現状の既存電話交換機に既に相当数のポイントコードが配布されている状況にある。
【０００３】
このため、できるだけポイントコードの数が少なくて済むよう、大量の処理能力を有するシグナルゲートウェイコントロール装置（ＳＧＣ）が要望される。また、大容量化することにより、保守が必要なノードの数が削減され、保守作業が軽減化されるため、大容量化が要望されている。
【０００４】
メディアゲートウェイコントロール装置（ＭＧＣ）に関しても、保守作業の観点から、数多くのメディアゲートウェイコントロール装置（ＭＧＣ）に対して個々に管理するのではなく、纏まったメディアゲートウェイコントロール装置（ＭＧＣ）に対して保守を行えるように構成され、且つスケーラビリティ（簡易な増設可能性）を有するよう構成されることが要望される。また、セッションイニシエーションプロトコル（ＳＩＰ：Session Initiation Protocol）による呼制御機能を有するＳＩＰ呼制御装置（ＳＣＣ：Sip Call Control）装置に対しても影響がないことが要望される。
【背景技術】
【０００５】
従来のＩＰ電話網システムの接続構成図を図４に示す。ＩＰ電話網システムには、ＩＰ電話端末装置（ＩＰ  ｐｈｏｎｅ）を収容するＳＩＰ呼制御装置（ＳＣＣ）が備えられる。ＳＩＰ呼制御装置（ＳＣＣ）は、公衆交換電話網（ＰＳＴＮ）を介する通話の呼が生起した場合、複数のメディアゲートウェイコントロール装置（ＭＧＣ１，ＭＧＣ２）のうちの１つに発呼信号を中継し、該１つのメディアゲートウェイコントロール装置（例．ＭＧＣ１）は、シグナルゲートウェイコントロール装置（ＳＧＣ）及び１つのメディアゲートウェイ（例．ＭＧ１）と連携し、公衆交換電話網（ＰＳＴＮ）を介する音声通話機能を実現する。
【０００６】
シグナルゲートウェイコントロール装置（ＳＧＣ）は、例えばＮｏ．７共通線信号網（ＳＳ７：Signaling System No.7）と連携し、メディアゲートウェイ（ＭＧ１）は、例えば公衆交換電話網（ＰＳＴＮ１）の音声伝送媒体と連携することにより、ＩＰ電話網及び公衆交換電話網（ＰＳＴＮ１）を介する通話を可能にする。
【０００７】
本発明に関連する先行技術として、本出願人による特願２００４−１４８７５３号に係る発明として、代表ＶｏＩＰ機能部が、各メディアゲートウェイ（ＭＧ）のＶｏＩＰ機能部の負荷状況を管理し、中央制御装置（ＣＣ：Central Control）の使用率や回線使用率に基づいて負荷分散を行う技術を提示している。そのほか本発明に関連するＩＰ電話網システムについては下記の特許文献等に記載されている。
【０００８】
下記の特許文献１には、ＳＩＰ電話機と、該ＳＩＰ電話機とインターネット網とを接続するＮＡＴと、インターネット網に接続された複数のプロキシサーバと、ＳＩＰ電話機と公衆電話網とを接続する１以上の非常用ゲートウェイとを備えたＶｏＩＰシステムにおいて、呼を確立する場合、ＳＩＰ電話機は、予め定められたプロキシサーバの順にリクエストを送信し、全プロキシサーバに疎通できない場合には、予め定められた非常用ゲートウェイの順にリクエストを送信するＶｏＩＰシステムについて記載されている。
【０００９】
また、特許文献２には、ＩＰ網内のプロキシサーバ及びメディアゲートウェイ制御装置が、ＩＰ電話端末から発信されたＩＮサービス呼のダイヤル番号を分析し、ダイヤル番号の分析結果に基づいてＩＮサービス呼を公衆交換電話網（ＰＳＴＮ）へルーチングし、公衆交換電話網（ＰＳＴＮ）内のサービス交換ノード（ＳＳＰ）が、インテリジェントネットワーク（ＩＮ）サービス呼に対する制御指示をサービス制御ノード（ＳＣＰ）に対して要求することにより、従来の公衆交換電話網（ＰＳＴＮ）内呼と同様に、公衆交換電話網（ＰＳＴＮ）とＩＰ網との相互接続呼やＩＰ網内呼に対してインテリジェントネットワーク（ＩＮ）サービスを提供する方法等について記載されている。
【００１０】
また、特許文献３には、ＩＰ電話ネットワーク及び公衆電話交換ネットワークによって少なくとも一部がサポートされるパスを介して呼が完了するように、着信ゲートウェイを動的に選択するシステムに関し、動的に使用可能なゲートウェイを検出し、故障したゲートウェイまたは使用可能でないゲートウェイを動的に取り除き、所定の時間後、故障したゲートウェイまたは使用不可のゲートウェイを自動的に回復する方法等が記載されている。
【００１１】
上記の各特許文献を以下に列記する。
【特許文献１】特開２００５−１３６８４４号公報
【特許文献２】特開２００４−２６０３３１号公報
【特許文献３】特表２００３−５１５９６９号公報
【発明の開示】
【発明が解決しようとする課題】
【００１２】
前述の図４のＩＰ電話網システムの接続構成において、シグナルゲートウェイコントロール装置（ＳＧＣ）及びメディアゲートウェイコントロール装置（ＭＧＣ１，ＭＧＣ２）に関して、前述したように少数の装置で実現することが要望されるが、少数の装置で実現するためには、メディアゲートウェイコントロール装置（ＭＧＣ１，ＭＧＣ２）によって制御されるメディアゲートウェイ（ＭＧ１〜ＭＧ４）を複数備えて大容量の回線を収容するよう構成する必要がある。
【００１３】
メディアゲートウェイコントロール装置（ＭＧＣ，ＭＧＣ２）は、大容量の回線を収容するために、対向するＳＩＰ呼制御装置（ＳＣＣ）及びメディアゲートウェイ（ＭＧ１〜ＭＧ４）を数多くカバーする必要があり、一台で対応しようとするにはサーバ性能が問題となってくる。また、大容量の回線を収容するよう構成することを前提とした場合、システム導入時等の小容量の収容回線で構成した場合や、大容量回線が要望されていないところに適用したときに、無駄な余分のコストが掛かかってしまうという問題もある。
【００１４】
本発明は、ＳＩＰ呼制御装置側に対して、メディアゲートウェイコントロール装置の追加による影響を与えることなく、任意数のメディアゲートウェイコントロール装置を追加配置することができ、スケーラビリティのあるシステム構築を可能にするとともに、メディアゲートウェイコントロール装置に効率よく処理負荷を振り分けることを可能にする。
【課題を解決するための手段】
【００１５】
本発明のメディアゲートウェイコントロール装置への処理負荷分散配布方法は、（１）ＩＰ電話端末装置を収容するＳＩＰ呼制御装置を経由して中継された呼処理信号により、シグナルゲートウェイコントロール装置及びメディアゲートウェイと連携してＩＰ電話網及び公衆交換電話網を介する音声通話機能を実現する各メディアゲートウェイコントロール装置において、中央制御装置の使用率が予め定めた使用率レベルの状態となったときに、該使用率レベルの状態を、メディアゲートウェイコントロールプロキシ装置にシンプルネットワークマネジメントプロトコルによる通知を行うステップと、前記各メディアゲートウェイコントロール装置を集約するメディアゲートウェイコントロールプロキシ装置において、各メディアゲートウェイコントロール装置からの前記使用率レベルの状態の通知により、該使用率レベルに基づいて、各メディアゲートウェイコントロール装置に対して、呼処理負荷の分散配布を行うステップと、を含むことを特徴とする。
【００１６】
また、（２）ＩＰ電話端末装置を収容するＳＩＰ呼制御装置を経由して中継された呼処理信号により、シグナルゲートウェイコントロール装置及びメディアゲートウェイと連携してＩＰ電話網及び公衆交換電話網を介する音声通話機能を実現する各メディアゲートウェイコントロール装置において、配下のメディアゲートウェイの回線使用率が予め定めた使用率レベルの状態となったときに、該使用率レベルの状態を、メディアゲートウェイコントロールプロキシ装置にシンプルネットワークマネジメントプロトコルによる通知を行うステップと、前記各メディアゲートウェイコントロール装置を集約するメディアゲートウェイコントロールプロキシ装置において、各メディアゲートウェイコントロール装置からの前記使用率レベルの状態の通知により、該使用率レベルに基づいて、各メディアゲートウェイコントロール装置に対して、呼処理負荷の分散配布を行うステップと、を含むことを特徴とする。
【００１７】
また、（３）前記各メディアゲートウェイコントロール装置とシグナルゲートウェイコントロール装置とで一定周期でヘルスチェックを行うステップと、前記ヘルスチェックによりメディアゲートウェイコントロール装置の不良が検出された場合に、シグナルゲートウェイコントロール装置からメディアゲートウェイコントロールプロキシ装置に、シンプルネットワークマネジメントプロトコルにより、ヘルスチェック不良となったメディアゲートウェイコントロール装置を通知するステップと、前記通知により、メディアゲートウェイコントロールプロキシ装置において、ヘルスチェック不良となったメディアゲートウェイコントロール装置に対して、処理負荷の配布を行うことなく、他のメディアゲートウェイコントロール装置に対して処理負荷の分散配布を行うステップと、を含むことを特徴とする。
【発明の効果】
【００１８】
本発明によれば、メディアゲートウェイコントロールプロキシ装置が、シンプルネットワークマネジメントプロトコルにより、配下のメディアゲートウェイコントロール装置の中央制御装置若しくは回線の使用率又は障害状況等の稼働状態情報を収集し、該稼働状態情報を基に処理負荷分散配布を行うことにより、効率よく処理負荷を振り分けることができる。
【００１９】
また、メディアゲートウェイコントロールプロキシ装置が複数のメディアゲートウェイコントロール装置を集約することにより、ＳＩＰ呼制御装置（ＳＣＣ）側から１つのメディアゲートウェイコントロール装置として見せ掛け、ＳＩＰ呼制御装置側に対して、メディアゲートウェイコントロール装置の追加による影響を与えることなく、メディアゲートウェイコントロール装置の増設が実現可能となるとともに、メディアゲートウェイコントロールプロキシ装置配下に、任意数のメディアゲートウェイコントロール装置を配置することができ、小容量のメディアゲートウェイコントロール装置から大容量のメディアゲートウェイコントロール装置まで、スケーラビリティのあるシステム構築が可能となる。
【発明を実施するための最良の形態】
【００２０】
本発明が適用されるＩＰ電話網システムの接続構成例を図１に示す。従来の接続構成では、ＳＩＰ呼制御装置（ＳＣＣ）で認識するメディアゲートウェイコントロール装置（ＭＧＣ１，ＭＧＣ２）は複数存在していたが、本発明のＩＰ電話網システムでは、ＳＩＰ呼制御装置（ＳＣＣ）から見た複数のメディアゲートウェイコントロール装置（ＭＧＣ１，ＭＧＣ２）を、メディアゲートウェイコントロールプロキシ装置（ＭＧＣｐｒｏｘｙ）にて集約することにより、ＳＩＰ呼制御装置（ＳＣＣ）からは一つのメディアゲートウェイコントロール装置（ＭＧＣ）として存在するように見せ掛けることを特徴としている。
【００２１】
メディアゲートウェイコントロールプロキシ装置（ＭＧＣｐｒｏｘｙ）は、集約する各メディアゲートウェイコントロール装置（ＭＧＣ１，ＭＧＣ２）の中央制御装置（ＣＣ：Ｃｅｎｔｒａｌ  Ｃｏｎｔｒｏｌ）の使用率、回線使用率、又は障害状態を把握しながら、各メディアゲートウェイコントロール装置（ＭＧＣ１，ＭＧＣ２）に対する処理負荷を分散配布する。
【００２２】
ＩＰ電話端末装置（ＩＰ  ｐｈｏｎｅ）から呼が発生すると、メディアゲートウェイコントロールプロキシ装置（ＭＧＣｐｒｏｘｙ）は、該呼の処理を担うメディアゲートウェイコントロール装置（ＭＧＣ１，ＭＧＣ２）の１つを選択し、選択された例えばメディアゲートウェイコントロール装置（ＭＧＣ１）は、シグナルゲートウェイコントロール装置（ＳＧＣ）及び配下の１つのメディアゲートウェイ（例．ＭＧ１）と連携して公衆交換電話網（例．ＰＳＴＮ１）との通話を実現する。
【００２３】
中央制御装置（ＣＣ）の使用率を基に処理負荷を分散配布する動作例を、図２を参照して説明する。なお、回線使用率を基に処理負荷を分散配布する動作については、説明を省略するが、中央制御装置（ＣＣ）の使用率を基に分散配布する動作例と同様のものとなる。
【００２４】
メディアゲートウェイコントロールプロキシ装置（ＭＧＣｐｒｏｘｙ）は、各メディアゲートウェイコントロール装置（ＭＧＣ１，ＭＧＣ２）の中央制御装置（ＣＣ）の使用率レベルの状態、分散方式、即ち中央制御装置（ＣＣ）使用率に基づく負荷分散か或いは回線使用率に基づく負荷分散であるか、及び使用率レベル毎の分散比の情報を保有する。
【００２５】
メディアゲートウェイコントロール装置（ＭＧＣ１，ＭＧＣ２）は、使用率レベルの変化時に、該使用率レベルを、メディアゲートウェイコントロールプロキシ装置（ＭＧＣｐｒｏｘｙ）に、シンプルネットワークマネジメントプロトコル（ＳＮＭＰ）により通知する。通知するとき使用率の閾値は、各使用率レベル対応にその上限値及び下限値が予め設定される。
【００２６】
図２の動作例において、第１及び第２の２つのメディアゲートウェイコントロール装置（ＭＧＣ１，ＭＧＣ２）を有し、中央制御装置（ＣＣ）の使用率に基づく分散方式により運用されているものとする。また、第１及び第２のメディアゲートウェイコントロール装置（ＭＧＣ１，ＭＧＣ２）に対して、分散論理として次のように予め定めておくものとする。使用率レベルが第１のレベル（ＬＥＶＥＬ１）のときは、分散比が１／２、即ち２回に１回の割合で呼処理を配布する。使用率レベルが第２のレベル（ＬＥＶＥＬ２）のときは、分散比が１／４、即ち４回に１回の割合で呼処理を配布する。使用率レベルが第３のレベル（ＬＥＶＥＬ３）のときは、分散比が０、即ち４呼処理を配布しない。
【００２７】
また、第１のメディアゲートウェイコントロール装置（ＭＧＣ１）の中央制御装置（ＣＣ）の使用率レベルは次のように定められるものとする。第１のレベル（ＬＥＶＥＬ１）は上限値５５パーセント、下限値４５パーセント、第２のレベル（ＬＥＶＥＬ２）は上限値７５パーセント、下限値６５パーセント、第３のレベル（ＬＥＶＥＬ３）は上限値９５パーセント、下限値８５パーセントとし、各レベルは、中央制御装置（ＣＣ）の使用率がその上限値を超えたときにそのレベルに達したものとし、その下限値以下となったときにそのレベルから脱したものと決定される。いうまでもないが、第２のレベル（ＬＥＶＥＬ２）の上限値を越えたときは、当然、第１のレベル（ＬＥＶＥＬ１）の上限値を越えているが、このときは、第２のレベル（ＬＥＶＥＬ２）に達しているものと決定する。第３のレベル（ＬＥＶＥＬ３）の上限値を越えたときも同様に、第３のレベル（ＬＥＶＥＬ３）に達しているものと決定する。
【００２８】
また、第２のメディアゲートウェイコントロール装置（ＭＧＣ２）の中央制御装置（ＣＣ）の使用率レベルは次のように定められるものとする。第１のレベル（ＬＥＶＥＬ１）は上限値６５パーセント、下限値５５パーセント、第２のレベル（ＬＥＶＥＬ２）は上限値８５パーセント、下限値７５パーセント、第３のレベル（ＬＥＶＥＬ３）は上限値１００パーセント、下限値９０パーセントとし、各レベルは、中央制御装置（ＣＣ）の使用率がその上限値を超えたときにそのレベルに達したものとし、その下限値以下となったときにそのレベルから脱したものと決定される。
【００２９】
回線使用率による使用率レベルも同様に、第１のメディアゲートウェイコントロール装置（ＭＧＣ１）の使用率レベルは次のように定められるものとする。第１のレベル（ＬＥＶＥＬ１）は上限値５５パーセント、下限値４５パーセント、第２のレベル（ＬＥＶＥＬ２）は上限値７５パーセント、下限値６５パーセント、第３のレベル（ＬＥＶＥＬ３）は上限値９５パーセント、下限値８５パーセントとし、各レベルは、中央制御装置（ＣＣ）の使用率がその上限値を超えたときにそのレベルに達したものとし、その下限値以下となったときにそのレベルから脱したものと決定される。
【００３０】
また、第２のメディアゲートウェイコントロール装置（ＭＧＣ２）の回線使用率の使用率レベルは次のように定められるものとする。第１のレベル（ＬＥＶＥＬ１）は上限値６５パーセント、下限値５５パーセント、第２のレベル（ＬＥＶＥＬ２）は上限値８５パーセント、下限値７５パーセント、第３のレベル（ＬＥＶＥＬ３）は上限値１００パーセント、下限値９０パーセントとし、各レベルは、中央制御装置（ＣＣ）の使用率がその上限値を超えたときにそのレベルに達したものとし、その下限値以下となったときにそのレベルから脱したものと決定される。
【００３１】
第１及び第２のメディアゲートウェイコントロール装置（ＭＧＣ１，ＭＧＣ２）が、使用率に基づく負荷分散配布の実行対象となる最低のレベルである第１レベル（ＬＥＶＥＬ１）に到達していない場合は、ラウンドロビンにより呼処理の振分けを行い、メディアゲートウェイコントロールプロキシ装置（ＭＧＣｐｒｏｘｙ）は、図２に示すようにセッション確立要求（ＩＮＶＩＴＥ）を、第１のメディアゲートウェイコントロール装置（ＭＧＣ１）及び第２のメディアゲートウェイコントロール装置（ＭＧＣ２）に順番に配布する（２−１，２−２）。
【００３２】
ここで、第１及び第２のメディアゲートウェイコントロール装置（ＭＧＣ１，ＭＧＣ２）の中央制御装置（ＣＣ）の使用率がそれぞれ４５パーセント及び３０パーセントになったとすると、それらはいずれもそれぞれの上限値５５パーセント及び６５パーセントを越えていないので、メディアゲートウェイコントロールプロキシ装置（ＭＧＣｐｒｏｘｙ）は、ラウンドロビンにより図２に示すようにセッション確立要求（ＩＮＶＩＴＥ）を、第１のメディアゲートウェイコントロール装置（ＭＧＣ１）及び第２のメディアゲートウェイコントロール装置（ＭＧＣ２）に順番に配布する（２−３，２−４）。
【００３３】
ここで、第１のメディアゲートウェイコントロール装置（ＭＧＣ１）の中央制御装置（ＣＣ）の使用率が５７パーセントに到達したとすると、この使用率は第１レベル（ＬＥＶＥＬ１）の上限値５５パーセントを越えるため、第１のメディアゲートウェイコントロール装置（ＭＧＣ１）は、メディアゲートウェイコントロールプロキシ装置（ＭＧＣｐｒｏｘｙ）に対して、シンプルネットワークマネジメントプロトコル（ＳＮＭＰ）により、第１レベル（ＬＥＶＥＬ１）状態に到達した旨の通知を行う（２−５）。
【００３４】
使用率が第１レベル（ＬＥＶＥＬ１）状態である旨の通知を受信したメディアゲートウェイコントロールプロキシ装置（ＭＧＣｐｒｏｘｙ）は、前述の予め定められた分散論理に則り、第１のメディアゲートウェイコントロール装置（ＭＧＣ１）に対する呼処理を１／２の分散比で振分ける。すなわち、第２のメディアゲートウェイコントロール装置（ＭＧＣ２）に２回セッション確立要求（ＩＮＶＩＴＥ）を配布したのに対して（２−６，２−７）、第１のメディアゲートウェイコントロール装置（ＭＧＣ１）に１回の割合でセッション確立要求（ＩＮＶＩＴＥ）を配布する（２−８）。
【００３５】
次に、第１及び第２のメディアゲートウェイコントロール装置（ＭＧＣ１，ＭＧＣ２）の中央制御装置（ＣＣ）の使用率がそれぞれ５４パーセント及び３５パーセントになったとすると、第１のメディアゲートウェイコントロール装置（ＭＧＣ１）では、まだ下限値４５パーセントより高い状態であるので、第１レベル（ＬＥＶＥＬ１）状態のままであり、一方、第２のメディアゲートウェイコントロール装置（ＭＧＣ２）では上限値６５パーセントを越えていないので、第１レベル（ＬＥＶＥＬ１）以下の状態である。
【００３６】
従って、この場合も同様に、第１のメディアゲートウェイコントロール装置（ＭＧＣ１）に対する呼処理を１／２の分散比で振分け、第２のメディアゲートウェイコントロール装置（ＭＧＣ２）に２回セッション確立要求（ＩＮＶＩＴＥ）を配布するのに対して（２−９，２−１０）、第１のメディアゲートウェイコントロール装置（ＭＧＣ１）に１回の割合でセッション確立要求（ＩＮＶＩＴＥ）を配布する（２−１１）。
【００３７】
ここで、第１及び第２のメディアゲートウェイコントロール装置（ＭＧＣ１，ＭＧＣ２）の中央制御装置（ＣＣ）の使用率がそれぞれ４３パーセント及び３５パーセントになったとすると、第１のメディアゲートウェイコントロール装置（ＭＧＣ１）では、下限値４５パーセントより低い状態となったので、第１レベル（ＬＥＶＥＬ１）状態を脱したことになる。そこで、メディアゲートウェイコントロールプロキシ装置（ＭＧＣｐｒｏｘｙ）に対して、シンプルネットワークマネジメントプロトコル（ＳＮＭＰ）により、第１レベル（ＬＥＶＥＬ１）状態を解除する旨の通知を行う（２−１２）。一方、第２のメディアゲートウェイコントロール装置（ＭＧＣ２）では上限値６５パーセントを越えていないので、第１レベル（ＬＥＶＥＬ１）以下の状態である。
【００３８】
上記第１レベル（ＬＥＶＥＬ１）状態解除通知を受信したメディアゲートウェイコントロールプロキシ装置（ＭＧＣｐｒｏｘｙ）は、通常のラウンドロビンにより呼処理配分の振分けを行う。なお、第１及び第２のメディアゲートウェイコントロール装置（ＭＧＣ１，ＭＧＣ２）の両者とも、同一の使用率レベル状態となった場合、メディアゲートウェイコントロールプロキシ装置（ＭＧＣｐｒｏｘｙ）は、前述の分散比による呼処理配分の振分けを行わず、ラウンドロビンによる振分けを行う。
【００３９】
次に、特定のメディアゲートウェイコントロール装置（例．ＭＧＣ１）が障害となった場合の処理配布の動作例を、図３を参照して説明する。メディアゲートウェイコントロール装置（ＭＧＣ１，ＭＧＣ２）とシグナルゲートウェイコントロール装置（ＳＧＣ）とは、一定の周期でヘルスチェックを行うことにより生存確認を行う。
【００４０】
シグナルゲートウェイコントロール装置（ＳＧＣ）は、各メディアゲートウェイコントロール装置（ＭＧＣ１，ＭＧＣ２）に対してヘルスチェック要求（３−１，３−３，３−５）を行い、各メディアゲートウェイコントロール装置（ＭＧＣ１，ＭＧＣ２）は該ヘルスチェック要求に対して、正常であれば、ヘルスチェック応答（３−２，３−４，３−６）を返送するが、ここで第１のメディアゲートウェイコントロール装置（ＭＧＣ１）に対するヘルスチェック要求（３−７）からのヘルスチェック応答が無くタイムアウトした場合に、シグナルゲートウェイコントロール装置（ＳＧＣ）は、第メディアゲートウェイコントロールプロキシ装置（ＭＧＣｐｒｏｘｙ）に、シンプルネットワークマネジメントプロトコル（ＳＮＭＰ）により、第１のメディアゲートウェイコントロール装置（ＭＧＣ１）が障害である旨の通知（３−８）を行う。
【００４１】
メディアゲートウェイコントロールプロキシ装置（ＭＧＣｐｒｏｘｙ）は、メディアゲートウェイコントロール装置（ＭＧＣ１，ＭＧＣ２）毎の障害状態を管理し、シンプルネットワークマネジメントプロトコル（ＳＮＭＰ）による障害通知を受信すると、その障害メディアゲートウェイコントロール装置（ＭＧＣ１）への呼処理の配布を行うことなく、他のメディアゲートウェイコントロール装置（ＭＧＣ１）へ呼処理を配布する。
【産業上の利用可能性】
【００４２】
シグナルゲートウェイコントロール装置（ＳＧＣ）とメディアゲートウェイコントロール装置（ＭＧＣ）が存在し、且つ、呼処理を担うメディアゲートウェイコントロール装置（ＭＧＣ）を振り分けるためのメディアゲートウェイコントロールプロキシ装置（ＭＧＣｐｒｏｘｙ）を備えたシステムにおいて、ＩＰインタフェースを収容し、既存網と接続するコールエージェントとして利用可能である。
【図面の簡単な説明】
【００４３】
【図１】本発明が適用されるＩＰ電話網システムの接続構成例を示す図である。
【図２】中央制御装置（ＣＣ）の使用率を基に処理負荷を分散配布する動作例を示す図である。
【図３】メディアゲートウェイコントロール装置（ＭＧＣ１）障害時の処理配布の動作例を示す図である。
【図４】従来のＩＰ電話網システムの接続構成を示す図である。
【符号の説明】
【００４４】
ＩＰ  ｐｈｏｎｅ  ＩＰ電話端末装置
ＳＣＣ  ＳＩＰ呼制御装置
ＳＩＰ  セッションイニシエーションプロトコル
ＭＧＣｐｒｏｘｙ  メディアゲートウェイコントロールプロキシ装置
ＭＧＣ１，ＭＧＣ２  メディアゲートウェイコントロール装置
ＭＧ１，ＭＧ２，ＭＧ３，ＭＧ４  メディアゲートウェイ
ＳＧＣ  シグナルゲートウェイコントロール装置
ＳＳ７  Ｎｏ．７共通線信号網
ＰＳＴＮ１，ＰＳＴＮ２  公衆交換電話網
【図１】
2007013612.tif 000003
【図２】
2007013612.tif 000004
【図３】
2007013612.tif 000005
【図４】
2007013612.tif 000006